(57)【特許請求の範囲】
【請求項１】
式ＩＩのチオシアナートの調製のための方法であって、
Ｒf−Ａm−（ＣＨ2）n−ＳＣＮ  ＩＩ
［式中、Ｒfは、Ｃ2〜Ｃ20のパーフルオロアルキル基、または少なくとも１つのエーテル酸素原子を有するＣ5〜Ｃ38のパーフルオロアルキル基であり、
ｎは、１〜３であり、
ｍは、０または１であり、
Ａは、Ｏ、Ｓ、ＣＯ2、Ｎ（Ｒ1）Ｒ2、ＣＯＮ（Ｒ1）Ｒ2、ＳＯ2Ｎ（Ｒ1）Ｒ2または（ＯＣＨ2ＣＨＲ3）aＯであり、ここで、ａは３から１５であり、Ｒ1は、Ｈまたは１個から４個の炭素原子を有するアルキル基であり、Ｒ2は、Ｃ1〜Ｃ12のアルキレンであり、およびＲ3は、ＨまたはＣＨ2Ｃｌである。］
前記方法は、式Ｉのフッ素化されたヨージドを、
Ｒf−Ａm−（ＣＨ2）n−Ｉ            Ｉ
［式中、Ｒf、Ａ、ｍおよびｎは、上記で定義したものである。］
Ｍがナトリウムまたはカリウムであるチオシアン酸塩Ｍ+（ＳＣＮ）-と、
下式の第４級アンモニウム塩触媒の存在下で、
（Ｒ4）3（Ｒ5）Ｎ+Ｙ-
［式中、Ｒ4はブチルであり、Ｒ5はブチルであり、ＹはＣｌ、Ｂｒ、ＩまたはＨＳＯ4である。］
反応させて、上記で定義した式ＩＩのフッ素化されたチオシアナートを与える工程を具えたことを特徴とする方法。
【請求項２】
前記触媒は、テトラブチルアンモニウムクロリド、またはテトラブチルアンモニウムブロミドであることを特徴とする請求項１に記載の方法。
【請求項３】
８５℃から１２０℃までの温風において実施されることを特徴とする請求項１に記載の方法。
【請求項４】
反応の完了後に、フッ素化されたアルキルチオシアナートを含有する反応混合物からの、相分離および水を用いる洗浄による残留触媒の除去工程を、さらに具えたことを特徴とする請求項１に記載の方法。
【請求項５】
その洗浄水は、８５℃から９５℃までの温度に維持されることを特徴とする請求項４に記載の方法。
【請求項６】
フッ素化されたヨージドに対するチオシアン酸塩のモル比は、２：１から１：１までであることを特徴とする請求項１に記載の方法。
【請求項７】
２段階において行われる請求項１に記載の方法であって、第１段階は、１）前記式Ｉのフッ素化されたヨージドを、前記チオシアン酸塩と、前記触媒の存在下で反応させて、８０％から９０％までの収率において前記フッ素化されたアルキルチオシアナートを生成する工程と、２）前記チオシアナートと残留触媒とを分離する工程とを含み、および第２段階は、第１段階の工程１）および２）を繰り返して、９８％から９９．９％までの総収率において前記フッ素化されたアルキルチオシアナートを生成する工程を具えたことを特徴とする方法。
【請求項８】
フッ素化されたヨージドに対するチオシアン酸塩のモル比は、前記第１段階において１：１であり、および前記第２段階において、前記第１段階において用いられたフッ素化されたヨージドの量を基準として０．３：１であることを特徴とする請求項７に記載の方法。
【請求項９】
前記チオシアナート生成物は、パーフルオロアルキルエチルチオシアナートの混合物であることを特徴とする請求項１に記載の方法。
【発明の詳細な説明】
発明の属する技術分野
本発明は、フッ素化されたアルキルヨージドの、対応するフッ素化されたアルキルチオシアナートへの新規な相間移動触媒された転化に関する。
発明の背景
パーフルオロアルキルチオシアナートは、対応するチオシアナートの酸化によるパーフルオロアルキルスルホン酸の調製のための有用な中間体である。パーフルオロアルキルスルホン酸およびそれらの塩は、特殊界面活性剤として、および対応するスルホニル誘導体の原料としての用途を有する。パーフルオロアルキルチオシアナートの還元は、対応するパーフルオロアルキルチオールを与える。パーフルオロアルキルチオールは、織物材料および紙製品用のはつ油剤およびはっ水剤の調製のための、および消火剤の調製のための中間体である。パーフルオロアルキルチオシアナートは多数の別の化合物の調製において用いられるので、チオシアナートを製造する効率的な手段が所望されている。
英国特許第１，２１８，７６０号は、特にチオシアン酸カリウムのアルコール溶液を用いる、対応するパーフルオロアルキルエチルヨージドからのパーフルオロアルキルエチルチオシアナートの調製のための方法を開示している。その生成物は、濾過により無機のヨウ化カリウムおよびチオシアン酸カリウムから、および蒸留により除去されるエタノールから分離される。その反応は遅く、還流において１５から３０時間、および生成物の収率および品質を最大限にするために１２時間の蒸留を必要とする。パーフルオロアルキルエチルチオシアナートの収率は、典型的には８５％にすぎず、蒸留を難しくするおそれのあるフッ素化されたアルカンが形成され、および遊離のヨウ素が形成されて特殊な洗浄工程を必要とする。無機チオシアン酸塩およびヨウ化物塩の徹底的な除去は、非常に長い洗浄手順を必要とする。
SzonyiおよびCambon（J.Fluorine Chemistry,42,59〜68,1989）は、相間移動触媒作用を適用して、触媒としてトリオクチルメチルアンモニウムクロリドを用い、チオシアン酸カリウムの水溶液の存在下、パーフルオロアルキルエチルヨージドから、パーフルオロアルキルエチルチオシアナートを調製した。有機溶剤なしに実施されるその反応は３〜１０時間以内に完了し、９６％ほどの高さの収率を有した。したがって蒸留工程を回避するが、洗浄による第４級アンモニウム触媒の徹底的な除去は、非常に困難である。
相間移動触媒作用において、触媒（第４級アンモニウムまたはホスホニウム塩）は、水層と非水層の間のイオン対の移動によりチオシアン酸によるヨウ化物の置換を触媒する。反応の進行につれて、第４級チオシアナートイオン対は水層から移動し、および第４級ヨウ化物イオン対は水層へと移動する。触媒または溶媒の無い場合において、アニオン移動はごく少なく、および反応は進行しない。
可燃性溶媒および付随する最終的蒸留工程の必要性なしに、高収率のチオシアナート生成物を与える迅速な相間移動触媒された方法による、フッ素化されたアルキルチオシアナート類の製造法を有することが所望される。触媒の容易な除去を提供するような相間移動触媒された方法も、同様に所望される。本発明は、そのような方法を提供する。
発明の要旨
本発明は、式ＩＩのチオシアナートの調製のための方法を具え、
Ｒf−Ａm−（ＣＨ2）n−ＳＣＮ     ＩＩ
［式中、Ｒfは、Ｃ2〜Ｃ20のパーフルオロアルキル基、または少なくとも１つのエーテル酸素原子を有するＣ5〜Ｃ38のパーフルオロアルキル基であり、
ｎは、１〜３であり、
ｍは、０または１であり、
Ａは、Ｏ、Ｓ、ＣＯ2、Ｎ（Ｒ1）Ｒ2、ＣＯＮ（Ｒ1）Ｒ2、ＳＯ2Ｎ（Ｒ1）Ｒ2または（ＯＣＨ2ＣＨＲ3）aＯであり、ここで、ａは３から約１５であり、Ｒ1は、Ｈまたは１個から約４個の炭素原子を有するアルキル基であり、Ｒ2は、Ｃ1〜Ｃ12のアルキレンであり、およびＲ3は、ＨまたはＣＨ2Ｃｌである。］
前記方法は、式Ｉのフッ素化されたヨージドを、
Ｒf−Ａm−（ＣＨ2）n−Ｉ        Ｉ
［式中、Ｒf、Ａ、ｍおよびｎは、上記で定義したものである。］
Ｍがナトリウムまたはカリウムであるチオシアン酸塩Ｍ+（ＳＣＮ）-と、
下式の第４級アンモニウム塩を含む触媒の存在下で、
（Ｒ4）3（Ｒ5）Ｎ+Ｙ-
［式中、Ｒ4はブチルであり、Ｒ5はメチルまたはブチルであり、ＹはＣｌ、Ｂｒ、ＩまたはＨＳＯ4である。］
反応させて、上記で定義した式ＩＩのフッ素化されたチオシアナートを与える工程を含むことを特徴とすることを含む。
発明の詳細な説明
本発明は、可燃性溶媒の使用なしに、引き続く蒸留の必要なしに、高収率の、および対応するフッ素化されたアルキルチオールへの即時の加水素分解を可能にするのに充分に高い純度のフッ素化されたアルキルチオシアナートの迅速な調製のための方法を含む。
本発明の方法は、式Ｉのフッ素化されたヨージドを、式ＩＩのチオシアナートへ転化する。
Ｒf−Ａm−（ＣＨ2）n−Ｉ         式Ｉ
Ｒf−Ａm−（ＣＨ2）n−ＳＣＮ     式ＩＩ
［式中、ＲfはＣ2〜Ｃ20のパーフルオロアルキル基または少なくとも１つのエーテル酸素原子を有するＣ5〜Ｃ38のパーフルオロアルキル基であり、
ｎは、１〜３であり、
ｍは、０または１であり、
Ａは、Ｏ，Ｓ，ＣＯ2，Ｎ（Ｒ1）Ｒ2，ＣＯＮ（Ｒ1）Ｒ2，ＳＯ2Ｎ（Ｒ1）Ｒ2，または（ＯＣＨ2ＣＨＲ3）aＯであり、ここで、ａは３から約１５であり、Ｒ1はＨまたは１から約４個の炭素原子を有するアルキル基であり、Ｒ2はＣ1〜Ｃ12のアルキレンであり、Ｒ3はＨまたはＣＨ2Ｃｌである。］
本発明の方法は、少なくとも１つの具体的に選択された式（Ｒ4）3（Ｒ5）Ｎ+Ｙ-の第４級アンモニウム塩［式中、Ｒ4はブチルであり、Ｒ5はメチルまたはブチルであり、ＹはＣｌ、Ｂｒ、Ｉ、またはＨＳＯ4である］を、触媒として使用する。触媒される反応は、式Ｍ+（ＳＣＮ）-の無機チオシアン酸塩を含有する濃厚な水相から、式Ｉのフッ素化されたアルキルヨージドまたは前記ヨージドの混合物の水と混和しない相への、チオシアン酸イオンの相間移動反応である。式Ｍ+（ＳＣＮ）-において、ＭはＩＡ属のアルカリ金属であり、好ましくはＮａＳＣＮまたはＫＳＣＮであり、および最も好ましくはＮａＳＣＮである。その反応は、溶媒なしで実施されて、対応する式ＩＩのフッ素化されたアルキルチオシアナートを与える。その反応は以下の反応順序に示すように進行する。その反応順序は、チオシアン酸ナトリウムとテトラブチルアンモニウムブロミド（Ｂｕ4Ｎ+Ｂｒ-）相間移動触媒を用いる具体的事例を示す。
0004053602.tif 000002
好ましい式Ｉのフッ素化されたアルキルヨージドは、ｎが１から約１０である式Ｆ（ＣＦ2）2n（ＣＨ2）2Ｉのパーフルオロアルキルエチルヨージド、あるいはそのようなパーフルオロアルキルエチルヨージドの同族体系列の混合物を含む。パーフルオロアルキルエチルヨージドの混合物は、たとえば、E.I.du Pontde Nemours and Company（Wilmington,DE）からのＺＯＮＹＬ  ＴＥＬＢ、ＴＥＬＢ−Ｌ、およびＴＥＬＢ−Ｎフルオロケミカル中間体のように、商業的に入手可能である。これらの製品の組成を、表１に示す。
0004053602.tif 000003
相間移動触媒として用いられるテトラアルキルホスホニウム塩は、対応するテトラアルキルアンモニウム塩よりも熱的に安定であり、およびより高温での反応を可能にする。しかし、本発明のフッ素化されたアルキルチオシアナートプロセスに関して、反応温度は、テトラアルキルアンモニウム塩が適切であるのみならず、より低いコストのためにより好ましいようなものである。同様に水中のチオシアン酸カリウムの水溶性は、ナトリウム塩の場合よりも高いが、チオシアン酸ナトリウムは適切な溶解性を有し、およびそれゆえにコストの基準において好ましい。
本発明の方法によって調製されるフッ素化されたアルキルチオシアナートは、対応するパーフルオロアルキルチオールを製造するのに用いられる。そのチオールの調製のための加水素分解の好ましい方法は、ＶＩＩＩ族金属またはその混合物、あるいはＩＢ族、ＩＩＢ族、ＩＩＩＡ族、ＩＶＡ族、ＶＡ族およびＶＩＡ族金属からなる群から選択される改質剤金属の存在下の前記金属またはその混合物を含む触媒の存在下で、パーフルオロアルキルチオシアナートを水素と反応させることを含み、前記触媒は、多孔性で不溶性の担体上にある。好ましい触媒は、パラジウムであり、および有用な担体は、活性炭、アルミナ、シリカ、アルミノケイ酸塩、ジルコニア、チタニア、炭酸カルシウム、ゼオライトおよびマグネシアを含む。改質剤金属が存在するときには、触媒は、１重量％から２０重量％のＶＩＩＩ族金属と、０．２重量％から５重量％の改質剤金属とを含み、残余は担体成分である。改質剤金属がないときは、触媒は、１重量％から２０重量％のＶＩＩＩ族金属を含み、残余は担体成分である。加水素分解のために適当な溶媒は、極性であり、および２より大きな誘電率を有する。その反応は、ヒーター、攪拌機、圧力および温度測定装置、および計量されるガス供給ラインに対する吸気口／排気口連結部を有する加圧容器内で、実施される。チオシアナートは、典型的には、反応器に対する全装填物の３０重量％から６０重量％であり、触媒は０．１から５％であり、および残余は必要に応じて水を含んでもよい溶媒である。触媒に対する基質のモル比は、触媒のＶＩＩＩ族金属含有量を基準として、２５：１から２０００：１である。その反応は、消費するにつれて水素ガスが追加される非酸化的雰囲気において実施される。反応後に、生成物のチオールは慣用の方法により単離される。加水素分解反応は、１９９６年４月１１日に出願された同時係属中の出願番号第０８／６２９，８２４号に、より詳細に記載されている。
特定の不純物が、チオールの調製において用いられるＶＩＩＩ族金属触媒を毒すること、および具体的には、好ましい触媒であるパラジウムを毒することが知られている。本発明の方法によるチオシアナートの調製から残留する少量の残余のテトラアルキルアンモニウム触媒もまた、直接的にあるいはテトラアルキルアンモニウム分解生成物の形成のためのいずれかにより、ＶＩＩＩ族金属触媒を毒することが見いだされている。１モルのパラジウム当たり、約０．０１から０．１モルより多いメチルトリカプリルアンモニウムブロミド、または好ましいテトラブチルアンモニウムブロミドが、活性の減少をもたらすことが見いだされた。本発明の方法における残留相間移動触媒の好ましい量は、０．０５モル以下の相間移動触媒／１モルのパラジウムである。混合されたパーフルオロアルキルエチルチオシアナート（たとえば、上記の表１中に記載されたＺＯＮＹＬ  ＴＥＬＢフルオロケミカル中間体由来の）の場合において、加水素分解手順における使用のためには、洗浄および乾燥後に、約１ｐｐｍから約１００ｐｐｍまでの、好ましくは約５０ｐｐｍ未満の、本発明の方法におけるフッ素化されたアルキルチオシアナート中の触媒の残留が好ましい。
本発明の方法において、メチルトリブチルまたはテトラブチルアンモニウム塩は、水で洗浄することにより除去可能である。したがって、触媒濃度を洗浄工程において減少して、引き続く加水素分解においてＶＩＩＩ族金属を毒する汚染物質を事実上含まないチオシアナート生成物を提供する。比較のために、メチルトリオクチルアンモニウムブロミドおよびテトラペンチルアンモニウムブロミドは、生成物から洗浄することが、触媒被毒が発生するのに充分に困難である。特定の別のテトラアルキルアンモニウム塩、たとえばテトラヘキシルアンモニウムおよびテトラオクチルアンモニウムは、相間移動触媒される反応に必要な安定な乳化物を攪拌している間に形成することをもたらす傾向がある。テトラメチルアンモニウムブロミド、テトラエチルアンモニウムブロミド、およびテトラプロピルアンモニウムブロミドは、本発明の方法に関して、有効ではない相間移動触媒である。メチルトリブチルアンモニウムブロミドは、６炭素原子以下のフッ素化されたアルキルヨージド同族体に対して有効であるが、８炭素原子以上のより高級な同族体に対しては遅い傾向がある。本発明の方法において、好ましい触媒であるテトラブチルアンモニウムブロミドは、より高級な同族体の混合物に対してより有効である。
本発明の方法は、もしそうでなければ、対応するフッ素化されたアルキルチオールを調製するための引き続く加水素分解において用いられる好ましいＶＩＩＩ族金属触媒であるパラジウムを毒する触媒不純物を実質的に含まない所望される生成物を提供する。さらに、本発明の方法は、フッ素化されたアルキルヨージドの対応するフッ素化されたアルキルチオシアナートへの非常に高い収率および転化率を提供する。
本発明の好ましい方法は、２段階の反応順序を含み、第１段階は、１）上記で定義される式Ｉのフッ素化されたヨージドを、上記で定義されるチオシアン酸塩Ｍ+（ＳＣＮ）-と、上記で定義される触媒（Ｒ4）3（Ｒ5）Ｎ+Ｙ-の存在下で反応させて、約８０％から約９５％までの収率で上記で定義される式ＩＩのフッ素化されたアルキルチオシアナートを生成する工程と、２）チオシアナートおよび残留触媒を分離する工程とを具え、および第２の段階は、第１の段階の工程１）および２）を反復して、約９８％から約９９．９％までの総収率で式ＩＩのフッ素化されたチオシアナートを生成する工程を具える。水を用いた反応混合物の多数回の洗浄は、約８５℃から約１２０℃に、および好ましくは約８５℃から約９５℃に維持される水温において、両反応工程の間に実施される。少なくとも約８０℃の温度が、全てのフッ素化されたアルキルヨージドが融解し、およびフッ素化されたアルキル相が均一であることを確実にする。約８０℃未満の温度は、損なわれた相分離をもたらし、水相の引き続く除去をより困難にするおそれがある。１００℃を超える温度において実施される反応および洗浄工程は、加圧下で実施されて、反応および洗浄工程中に水が蒸発すること、および装置の冷却部分の上へと反応物質の成分が水蒸気蒸留または昇華することを防止する。第１段階において、成分を混合および反応させ、ガスクロマトグラフィー（ＧＣ）にて分析し、反復して水で洗浄し、および第２段階において追加のアルカリ金属チオシアン酸塩および相間移動触媒と再び反応させる。その生成物を、再びＧＣにて分析し、徹底的に洗浄し、および熱い間に窒素をパージすることにより乾燥させる。
反応剤を、攪拌機を取り付けた適当な反応器に装填することにより混合し、および水とアルカリ金属チオシアン酸塩の溶液と共に約８５℃から約１２０℃までの温度に加熱する。フッ素化されたアルキルヨージドは融解され、および上記で指定した温度を維持しながら添加される。チオシアン酸塩に対する水の比率は、重量で、約１：３から約３：１まで、好ましくは約１：１である。より低いアルカリチオシアン酸塩の濃度は、反応を減速し、および反応剤の体積を増加させ、より高い濃度は、相の密度における差を減少し、および引き続く相分離をより困難にするおそれがある。第１段階において添加されるチオシアン酸塩の量は、用いられるフッ素化されたアルキルヨージドのモル量を基準にする。
第１反応段階についてのフッ素化されたヨージドに対するチオシアン酸塩のモル比は、約２：１から約１：１の間、好ましくは約１：１である。より高い比率はほとんど効果を持たず、およびチオシアン酸塩を浪費する。より低い比率は、第１段階におけるより不完全な反応をもたらし、第１段階の転化率を減少させる。減少した第１段階の転化率は、総転化率を減少するおそれがある。添加されるテトラアルキルアンモニウム塩の量も、同様にフッ素化されたアルキルヨージドの量にモル的に比例し、およびヨージドに対する触媒のモル比は、約１：１００と約１：１０との間、好ましくは約１：４０である。より高い比率は触媒を浪費し、より低い濃度は反応を減速する。
反応の間ずっと、適切な攪拌が必要である。典型的には、約１．０〜５．０ＨＰ／１０００ガロン（２００〜１０００ｋＷ／ｍ3）、および好ましくは約３ＨＰ／１０００ガロン（６００ｋＷ／ｍ3）の入力が充分な量であるが、最適な攪拌は反応器および攪拌機の設計に依存する。不充分な攪拌は、反応が過度に遅く進行することをもたらし、過剰な攪拌は動力を浪費する。具体的な装置のセットに対する最適な攪拌を確立するための方法は、当該技術においてよく知られており、たとえばStarksおよびOwensのJ.Am.Chem.Soc.,95,3613〜3617,1973およびSolaro他のJ.Org.Chem.,45,4179〜4183,1980の文献中に記載されている。
成分の添加の順序は重要ではないが、水とアルカリ金属チオシアン酸塩を予備混合しおよび加熱することが、典型的にはより便利である。成分の混合物は上記のように攪拌され、および温度は、約３から１０時間にわたって上記の範囲内に保持された。フッ素化されたアルキルヨージドの同族体系列のより大きな分子量成分の完全な転化に対しては、より長い反応時間が必要である。反応混合物を、ＧＣ分析により監視して、フッ素化されたアルキルチオシアナート生成物の形成およびフッ素化されたアルキルヨージドの消失の双方を測定することを可能にする。典型的には、第１段階の最後において、その反応は８５％から９５％完了する。反応の完了後に、フッ素化されたアルキルチオシアナートを含有する反応混合物中に存在する全ての残留触媒を、相分離および水を用いる洗浄により除去する。
攪拌を停止するときに、反応物質は２相に分離される。一般に、水相はより密度の小さい上澄みであり、およびこれは、上澄みの少量のサンプルを、より大きな体積の、たとえば１０〜２０体積の水で希釈することにより、容易に確認される。そのように希釈されたときに、水相はより密度の高い油相を示さない。洗浄および分離工程の全体を通して、温度は上記の反応温度の範囲内に維持される。より低い温度は、反応剤の分別析出をもたらして、選択的転化を与えるおそれがあり、および洗浄工程においては、相分離を損なうおそれがある。万一、低温偏位が発生するならば、続行の前に、温度を正しい範囲に戻して、これらの効果を無効にする。必要に応じて、第１段階の最後において、最高１体積までの（反応温度の）湯を添加して、相分離を容易にするが、これは通常必要ではない。生成物のフッ素化されたアルキルチオシアナート相は、同体積の予備加熱された水を用いて洗浄して、その洗液は、適当な方法により（たとえば吸引によりあるいはサイホンにより）除去される。次に、保持された下層は、同量の予備加熱された水を用いて、さらに２回洗浄される。
反応温度範囲に維持された、保持されおよび３回洗浄された反応物質に対して、追加の予備加熱された水性のアルカリ金属チオシアン酸塩および相間移動触媒を添加する。アルカリ金属チオシアン酸塩に対する水の比は、第１段階に対してと同様である。第２段階において、最初のフッ素化されたヨージド（第１段階において用いられた量）に対するチオシアン酸塩のモル比は、約０．５：１と約０．２：１との間であり、好ましくは約０．３：１である。第１段階の転化率が９３％以下ならば、より高い比率が所望される。第２段階のために添加される相間移動触媒のモル比は、約１：３００と約１：３０との間であり、好ましくは約１：１２０である。第１段階に対してと同様に、添加の順序は重要ではないが、しかし、水とアルカリ金属チオシアン酸塩を予備混合しおよび加熱することが、典型的にはより便利である。
転化が少なくとも約９８％および好ましくは約９９．９％完了したことをＧＣ分析が示すまで、反応温度および攪拌速度を、２〜３時間にわたって維持する。
第１段階の後と同様に、上澄みの水相を除去する。第２段階由来の保持された熱生成物を、第１段階に続いて行う洗浄においてと同様に、反復して洗浄する。典型的には、この段階において４から８回の、好ましくは６回の洗浄が実施される。洗浄工程は、当業者によって変更されて、残留触媒または別の不純物に関するいずれの仕様も達成される。上記の手順は、典型的には、プロトン核磁気共鳴（プロトンＮＭＲ）分光法により残留触媒を検出することができないチオシアナート生成物を、生成する。
適切な洗浄のための試験は、（以前に記載した米国特許出願番号第０８／６２９，８２４号の手順による）加水素分解により、チオシアナートに対するＶＩＩＩ族金属触媒の好ましい１：９００の比率を用い、少なくとも９８％および好ましくは少なくとも９９．５％の収率のチオールへと転化することができるチオシアナート生成物の生成である。過剰量の残留相間移動触媒を含有する不適切に洗浄されたチオシアナート生成物は、チオールへのより少ない加水素分解転化率をもたらすか、あるいはより高くかつ不経済な比率のＶＩＩＩ族金属触媒の比率を必要とする。
熱洗浄されるフッ素化されたアルキルチオシアナートへの水の溶解性は非常に低く、および溶融チオシアナート生成物を約９５℃に維持しながら窒素ガスでパージすることにより、生成物は容易に乾燥される。パージ流を、室温の冷却器へと通過されて、そしてパージされた水を除去される。水が凝集するのを止めるまで、パージを継続する。溶融しているチオシアナート生成物を適当な容器内に放出し、および冷却することにより凝固させる。
本発明の方法は、可燃性溶媒および引き続く蒸留によるそれらの除去の必要なしに、高収率でパーフルオロアルキルチオシアナートを調製するのに有用である。界面活性剤として用いられるパーフルオロアルキルスルホン酸の製造において、および織物材料および紙用のはつ油およびはっ水剤の製造に用いられるパーフルオロアルキルチオール類の製造において、生成物のパーフルオロチオシアナートは有用である。
以下の実施例１〜３は、本発明の実施、および比較例Ａ〜Ｈにおいて用いられる別のテトラアルキルアンモニウム塩に対して本発明の好ましい触媒の利点を例示する。実施例において、２  １／８インチ（５．４ｃｍ）の羽根車を取り付けた１リットルの樹脂フラスコに関して攪拌速度と動力との間に、以下の近似的な関係が存在する。
攪拌機速度：200rpm=〜0.5HP/1000ガロン（〜100kW/m3）（不十分）
400rpm=〜3HP/1000ガロン（〜600kW/m3）（十分）
600rpm=＞5HP/1000ガロン（〜1000kW/m3）（十分を越える）
実施例
実施例１
テトラブチルアンモニウムブロミド触媒を用いる混合されたパーフルオロアルキルエチルチオシアナート類の調製
頭上攪拌機、加熱マントル、および暖かい温度の冷却器を取り付けた１０００ｍＬの樹脂フラスコに対して、E.I.du Pont de Nemours and Company（Wilmington,DE）から入手可能なＺＯＮＹＬ  ＴＥＬＢフルオロケミカル中間体（上記の表１参照、３０３ｇ、０．６モル）と、水（４８ｇ）に溶解したチオシアン酸ナトリウム（４８．６ｇ、０．６０モル、J.T.Baker,Inc.（Phillipsburg,NJ）製の「Baker-analyzed」A.C.S.試薬、９８．６％）と、テトラブチルアンモニウムブロミド（４．８ｇ、０．０１５モル、Aldrich Chemical Co.（Milwaukee,WI）、９９％）とを装填した。次に、その溶液を、６００ｒｐｍで攪拌しながら、９５℃に加熱した。反応比率は、ＧＣ分析により、および４時間の最後において監視し、反応は９４％完了した。次に、その混合物に対して、水（３００ｇ）を添加して、乳化物を破壊し、その全体を、１５分間にわたって６００ｒｐｍにおいて９５℃に加熱し、次に吸引により水相を除去した。
９５℃において上記のように、２回のさらなる水洗浄液（３００ｇ）により、反応生成物を洗浄し、それぞれの洗浄の後に、上澄みの水を含む洗浄液を吸引により除去した。次に、水（１５ｇ）中のチオシアン酸ナトリウム（１５ｇ、０．１９モル）を、テトラブチルアンモニウムブロミド（１．４ｇ、０．００４４モル）とともに添加した。次に、反応混合物を、さらに２時間にわたって、９５℃および６００ｒｐｍにおいて攪拌した。この時点において、ガスクロマトグラフィー分析は、反応が９９．９％完了したことを示した。次に、水（３００ｇ）を添加し、およびその全体を１５分間にわたって９５℃において攪拌し、および水相を除去した。５回のさらなる水洗（３００ｇ）を、それぞれ１５分間にわたって行った。吸引による水の除去の後に、その溶液を、９５℃において窒素を用いてパージして、痕跡量の水を除去した。最終生成物中に、相間移動触媒もその分解生成物も、プロトンＮＭＲにより検出されなかった。
上記のような、最終生成物のパラジウムで触媒された加水素分解は、チオール生成物の９９．５％の収率を示した。
実施例２
テトラブチルアンモニウムブロミド触媒を用いる混合されたパーフルオロアルキルエチルチオシアナート類の調製
実施例１においてと同一の反応器に対して、ＺＯＮＹＬ  ＴＥＬＢ−Ｎフルオロケミカル中間体（上記表１参照、４７３．２ｇ、０．７８モル）と、水（６３ｇ）中のチオシアン酸ナトリウム（６３．２ｇ、０．７８モル）と、テトラブチルアンモニウムブロミド（６．２４ｇ、０．０２モル）とを装填し、そして、９７％の転化率が得られるまで反応温度を９５℃に維持しながら、６時間にわたって６００ｒｐｍの攪拌速度を伴い９５℃において反応させた。反応生成物を、３回の水洗浄液で洗浄した。それぞれの水洗浄液は３９０ｇであり、それぞれの洗浄の後に、吸引により水を除去した。１９．２ｇの水中のチオシアン酸ナトリウム（１９．５ｇ、０．２４モル）とテトラブチルアンモニウムブロミド（１．８ｇ、０．００５６モル）とを添加し、そしてその溶液をさらに２時間にわたって９５℃で攪拌して、９９．９％収率のパーフルオロアルキルチオシアナートを与えた。実施例１においてと同様に水を除去し、および、実施例１においてと同様の加水素分解は、チオールの９９．５％より高い収率を示した。
実施例３
テトラブチルアンモニウムブロミド触媒を用いる混合されたパーフルオロアルキルエチルチオシアナート類の調製
２つの相を、６００ｒｐｍの代りに４００ｒｐｍにおいて攪拌したことを除いて、実施例２を繰り返した。９２％の転化率が得られるまで、８時間にわたって攪拌を継続した。反応生成物を水洗し、および実施例２においてと同様に追加のチオシアン酸ナトリウムおよびテトラブチルアンモニウムブロミドを用いて処理し、そしてその溶液をさらに２時間にわたって４００ｒｐｍで攪拌して、パーフルオロアルキルチオシアナートの９９．９％の転化率を与えた。実施例２においてと同様に、生成物を洗浄しおよび加水素分解にさらして、９９．５％収率のチオールを与えた。
比較例Ａ
トリカプリルメチルアンモニウムクロリドを用いる混合されたパーフルオロアルキルエチルチオシアナート類の調製
テトラブチルアンモニウムブロミドを、Aliquat 336（Aldrich Chemical Co.（Milwaukee,WI）製のトリカプリルメチルアンモニムクロリド、８．１ｇ、０．０２モル）に置換して、実施例２の方法を繰り返した。ＧＣ分析により測定した転化率は、１１時間の後に９９．９％であった。しかし、最終生成物のプロトンＮＭＲは、生成物１モル当たり０．０２モル（用いた触媒の量の約８０％）のAliquat 336が残留していることを示し、これは生成物中の１．５重量％の残留触媒に対応した。金属で触媒される加水素分解反応は、転化を示さなかった。
この例は、トリカプリルメチルアンモニウムクロリドは生成物から除去するのが困難であり、および対応するチオールを調製するのに用いられる水素添加触媒を被毒させることを例示した。
比較例Ｂ
テトラプロピルアンモニウムブロミドを用いる混合されたパーフルオロアルキルエチルチオシアナート類のサンプルの試みた調製
テトラプロピルアンモニウムブロミド（５．３ｇ、０．０２モル、Aldrich Chemical Co.（Milwaukee,WI）製、９９％純度）に置換して、実施例２の方法を繰り返した。５時間の間に、反応が観察されず、その触媒がこの反応に有効でないことが示された。
比較例Ｃ
テトラヘキシルアンモニウムブロミドを用いる混合されたパーフルオロアルキルエチルチオシアナート類のサンプルの調製
テトラヘキシルアンモニウムブロミド（８．７ｇ、０．０２モル、Aldrich Chemical Co.（Milwaukee,WI）製、９９％純度）に置換して、実施例２の方法を繰り返した。パーフルオロアルキルチオシアナートへの９９．８％の転化が得られるまで、反応を８時間にわたって観察した。水洗を試みたときに、乳化物が形成され、それは１時間後にも依然として存在し、引き続く加水素分解に関して適当な触媒のない生成物の、水洗による単離は実用的でないことを示した。さらなる精製は実施しなかった。
比較例Ｄ
テトラペンチルアンモニウムブロミドを用いる混合されたパーフルオロアルキルエチルチオシアナート類のサンプルの調製
テトラペンチルアンモニウムブロミド（７．６ｇ、０．０２モル、Sigma-Aldrich（Milwaukee,WI）製）に置換して、実施例２の方法を繰り返した。パーフルオロアルキルチオシアナートを与える反応は、７時間の間に完了した。精製の後に、相間移動触媒は、プロトンＮＭＲにより観察されなかった。加水素分解を試みたときに、チオールへの転化が観察されず、相間移動触媒の量はＮＭＲの検出限界より少ないにもかかわらず、生成物は引き続く加水素分解に関して適当でないことを示した。
比較例Ｅ
メチルトリブチルアンモニウムクロリドを用いる混合されたパーフルオロアルキルエチルチオシアナート類のサンプルの試みた調製
テトラブチルアンモニウムブロミドを、メチルトリブチルアンモニウムクロリドに置換した以外は、実施例１を繰り返した。２１時間後に、パーフルオロアルキルチオシアナートへの２１％の転化が観察されたにすぎず、その触媒が実施例１の方法におけるそれより劣り、および反応が停止することを示した。
比較例Ｆ
メチルトリブチルアンモニウムクロリドを用いる混合されたパーフルオロアルキルエチルチオシアナート類のサンプルの試みた調製
テトラブチルアンモニウムブロミドを、メチルトリブチルアンモニウムクロリドに置換して、実施例２を繰り返した。５時間の間に生成物は観察されず、その触媒が実施例２の方法におけるそれより劣ることを示した。
比較例Ｇ
メチルトリブチルアンモニウムクロリドを用いる２−パーフルオロヘキシルエチルチオシアナートのサンプルの調製
Ｚｏｎｙｌ  ＴＥＬＢフルオロケミカル中間体を、２−パーフルオロヘキシルエチルヨージドに置換して、比較例Ｄを繰り返した。６時間の間に、パーフルオロアルキルチオシアナートへの７４％の転化が得られ、その触媒が、Ｚｏｎｙｌ  ＴＥＬＢフルオロケミカル中間体中に存在するより高級な同族体に対してよりも２−パーフルオロヘキシルエチルヨージドに対してより効果的であるが、実施例１の方法におけるそれよりも劣ることを示した。
比較例Ｈ
より遅い攪拌を用い、テトラブチルアンモニウムブロミドを用いる混合されたパーフルオロアルキルエチルチオシアナート類の試みた調製
２つの相を、６００ｒｐｍの代りに２００ｒｐｍにおいて攪拌したことを除いて、実施例２を繰り返した。１２時間後に、反応は２８％が完了したにすぎず、および反応は停止した。